(57)【要約】【課題】  複数の工程から成る作業の手順書を効率的に作成するための手順書作成方法及び手順書作成プログラムを提供する。【解決手段】  ユーザ端末が、文書の作成フォームを表示するフォームデータに基づいてフォーム６０を表示させる。そして、ユーザに対して、このフォーム６０上への工程データ領域６５の指定を促し、ユーザにより指定された工程データ領域６５を、フォーム上に割り付ける。そして、複数の工程から成る作業の各工程を１レコードとした工程ファイル７０を読み込んで、工程毎にフォーム６０上の工程データ領域６５に当該工程に関するレコードのデータを合成した工程説明書８１を生成し、レコード順を識別可能にしたこの工程説明書８１を含む手順書８０を作成する。【選択図】      図３
2006065807.tif 000002
【特許請求の範囲】
【請求項１】
コンピュータを用いて、複数の工程から成る作業の手順書を作成する方法であって、
前記コンピュータが、
文書の作成フォームを表示するフォームデータに基づいてフォームを表示させ、ユーザに対して、このフォーム上への工程データ領域の指定を促し、ユーザにより指定された工程データ領域を前記フォーム上に割り付ける工程データ領域割付段階と、
複数の工程から成る作業の各工程情報を１レコードとして構成された工程ファイルを読み込んで、工程毎に前記フォーム上の工程データ領域に当該工程に関するレコードのデータを合成した工程説明書を生成し、レコード順を識別可能にした前記工程説明書を含む手順書を作成する手順書生成段階と
を含むことを特徴とする手順書作成方法。
【請求項２】
画像データを記憶する画像データ記憶手段をさらに用い、
前記コンピュータが、
ユーザに対して、前記フォーム上への画像領域の指定を促し、ユーザにより指定された画像領域を前記フォーム上に割り付ける画像領域割付段階をさらに含み、
前記手順書生成段階で生成する前記工程説明書は、前記割り付けた画像領域を有し、
前記コンピュータが、
前記工程説明書の画像領域に前記画像データ記憶手段の画像データに基づく画像を貼り付ける画像貼付段階をさらに含むことを特徴とする請求項１に記載の手順書作成方法。
【請求項３】
前記手順書生成段階は、前記工程ファイルのレコード順に各工程の工程説明書が並べられた１ファイルにより構成される手順書データを生成することを特徴とする請求項１又は２に記載の手順書作成方法。
【請求項４】
コンピュータを用いて、複数の工程から成る作業の手順書を作成するための手順書作成プログラムであって、
前記コンピュータを、
文書の作成フォームを表示するフォームデータに基づいてフォームを表示させ、ユーザに対して、このフォーム上への工程データ領域の指定を促し、ユーザにより指定された工程データ領域を前記フォーム上に割り付ける工程データ領域割付手段と、
複数の工程から成る作業の各工程情報を１レコードとして構成された工程ファイルを読み込んで、工程毎に前記フォーム上の工程データ領域に当該工程に関するレコードのデータを合成した工程説明書を生成し、レコード順を識別可能にした前記工程説明書を含む手順書を作成する手順書生成手段
として機能させるための手順書作成プログラム。
【請求項５】
画像データを記憶する画像データ記憶手段をさらに用い、
前記コンピュータを、さらに、
ユーザに対して、前記フォーム上への画像領域の指定を促し、ユーザにより指定された画像領域を前記フォーム上に割り付ける画像領域割付手段として機能させ、
前記手順書生成手段で生成する前記工程説明書は、前記割り付けた画像領域を有し、
前記コンピュータを、さらに、
前記工程説明書の画像領域に前記画像データ記憶手段の画像データに基づく画像を貼り付ける画像貼付手段として機能させることを特徴とする請求項４に記載の手順書作成プログラム。
【請求項６】
前記手順書生成手段を、前記工程ファイルのレコード順に各工程の工程説明書が並べられた１ファイルにより構成される手順書データを生成する手段として機能させることを特
徴とする請求項４又は５に記載の手順書作成プログラム。
【発明の詳細な説明】
【技術分野】
【０００１】
本発明は、作業の手順書を作成するための手順書作成方法及び手順書作成プログラムに関する。
【背景技術】
【０００２】
製造業による製品の製造においては、設計図等の図面を用いて作業内容を記載した作業指示書等を用いて、作業者に作業指示を行う。そして、製品の製造の際には、作業者は、この作業指示書等を参照しながら作業を行う。
【０００３】
このような作業指示書等は、作業指示書等の作成者の負担を少なくしつつ、作業者に分かり易く記載されていることが望ましい。このような、作業指示書等を効率的に作成するための技術が、多数、開発されている（例えば、特許文献１参照。）。この特許文献１には、必要な図面及び項目に応じて作成した製造指示書のレイアウトに、指示ファイルに設定されたデータを合成して製造指示書を作成する方法が開示されている。
【特許文献１】特開２００４−６２８１６号公報（第７−９頁）
【発明の開示】
【発明が解決しようとする課題】
【０００４】
しかし、製品の製造は、通常、複数の工程により構成されるため、各工程についてそれぞれ作業指示を行う必要があり、かつ、工程の順番に従って作業を行う必要がある。このため、製品の製造工程における手順に従って各工程についての作業指示をそれぞれ記載した手順書があれば、作業者は、この手順書に従って作業を行うことにより、効率的に作業を行うことができると考えられる。しかし、通常、各工程について、それぞれ作業指示書等を作成しており、製品の製造工程における手順に従って各工程についての作業指示を分かり易く記載した手順書を効率的に作成することができなかった。また、上記の特許文献１に記載の方法でも、複数の工程により製造される製品の製造のための手順書の作成については、触れられていない。
【０００５】
本発明は、上記問題点を解決するためになされたものであり、その目的は、複数の工程から成る作業の手順書を効率的に作成するための手順書作成方法及び手順書作成プログラムを提供することにある。
【課題を解決するための手段】
【０００６】
本発明は、コンピュータを用いて、複数の工程から成る作業の手順書を作成し、前記コンピュータが、文書の作成フォームを表示するフォームデータに基づいてフォームを表示させ、ユーザに対して、このフォーム上への工程データ領域の指定を促し、ユーザにより指定された工程データ領域を前記フォーム上に割り付け、複数の工程から成る作業の各工程情報を１レコードとして構成された工程ファイルを読み込んで、工程毎に前記フォーム上の工程データ領域に当該工程に関するレコードのデータを合成した工程説明書を生成し、レコード順を識別可能にした前記工程説明書を含む手順書を作成する。これによれば、複数の工程から成る作業の手順書を効率よく作成できるとともに、同一の作業中の各工程に関する工程説明書を工程順にまとめて管理できる。
【０００７】
さらに、本発明によれば、画像データを記憶する画像データ記憶手段をさらに用い、前記コンピュータが、ユーザに対して、前記フォーム上への画像領域の指定を促し、ユーザにより指定された画像領域を前記フォーム上に割り付け、前記生成する前記工程説明書は、前記割り付けた画像領域を有し、前記コンピュータが、前記工程説明書の画像領域に前
記画像データ記憶手段の画像データに基づく画像を貼り付ける。これによれば、画像を含む手順書を効率よく作成できる。
【０００８】
さらに、本発明によれば、前記工程ファイルのレコード順に各工程の工程説明書が並べられた１ファイルにより構成される手順書データを生成する。これによれば、作業を構成する複数の工程の工程説明書を工程順に並べた手順書を１ファイルで管理できる。
【発明の効果】
【０００９】
本発明によれば、複数の工程から成る作業の手順書を効率的に作成することができる。
【発明を実施するための最良の形態】
【００１０】
以下、本発明を具体化した一実施形態を、図１〜図３を用いて説明する。本実施形態では、製品の製造における複数の工程から成る作業の手順書を作成するための手順書作成方法及び手順書作成プログラムとして説明する。
【００１１】
図１に示すように、ユーザが使用するコンピュータ端末であるユーザ端末２０は、ＣＰＵにより構成される制御部２１を備えている。制御部２１は、後述する処理（工程データ領域割付段階、手順書生成段階、画像領域割付段階、画像貼付段階、工程説明調整段階、画像調整段階等の処理）を行う。そのための手順書作成プログラムを実行することにより、制御部２１は、工程データ領域割付手段２２、画像領域割付手段２３、手順書生成手段２４、画像貼付手段２５、工程説明調整手段２６、画像調整手段２７等として機能する。
【００１２】
工程データ領域割付手段２２は、文書の作成フォームを表示するフォームデータに基づいてフォームを表示させ、ユーザに対して、このフォーム上への工程データ領域の指定を促し、ユーザにより指定された工程データ領域をフォーム上に割り付ける。画像領域割付手段２３は、ユーザに対して、フォーム上への画像領域の指定を促し、ユーザにより指定された画像領域をフォーム上に割り付ける。手順書生成手段２４は、複数の工程から成る作業の各工程情報を１レコードとして構成された工程ファイルを読み込んで、工程毎に前記フォーム上の工程データ領域に当該工程に関するレコードのデータを合成した工程説明書を生成し、レコード順を識別可能にした前記工程説明書を含む手順書を作成する。画像貼付手段２５は、工程説明書の画像領域に画像を貼り付ける。工程説明調整手段２６は、ディスプレイ画面上でのユーザの入力操作に従って、工程データ領域に合成された工程の説明文の調整や、追加入力された文字等の調整を行う。画像調整手段２７は、ディスプレイ画面上でのユーザの入力操作に従って、画像領域に貼り付けられた画像の調整を行う。
【００１３】
ユーザ端末２０は、さらに、記憶手段（ＲＡＭ、ＲＯＭ、ハードディスク等）の記憶手段を備えている。この記憶手段は、フォームデータ記憶部３１、工程データ記憶部３２、画像データ記憶手段としての画像データ記憶部３３及び手順書データ記憶部３４を含んで構成される。
【００１４】
フォームデータ記憶部３１は、編集されたフォームを表示する画像データであるフォームデータを記録する。フォームの編集は、編集画面を用いて行い、例えば、白紙の所定の用紙サイズ（Ａ４横）に対応するベース画像に、ロゴ等を表示する任意のビットマップ等の画像や、文字を合成する。編集画面上では、スキュー補正、ノイズ除去、罫線描画等が実行可能である。そして、編集されたフォームデータをユーザ端末２０内の任意のフォルダに格納する。本実施形態では、このフォームデータが記録された記憶領域をフォームデータ記憶部３１と呼ぶこととする。
【００１５】
工程データ記憶部３２は、製造する製品毎の工程ファイルを記録する。工程ファイルは、製品の製造における各工程に対応するレコードが工程順に並べられた複数のレコードに
より構成されており、１工程につき１レコードが割り当てられている。本実施形態では、この工程ファイルは、ＣＳＶ形式のファイルにより構成されている。この工程ファイルは、例えば、図示しないネットワークを介して受け付けて、ユーザ端末２０内の任意のフォルダに格納する。本実施形態では、この工程ファイルが記録された記憶領域を工程データ記憶部３２と呼ぶこととする。
【００１６】
画像データ記憶部３３は、手順書に貼り付ける画像の画像データが記録されている。この画像データの編集では、画像データの編集画面を用いて行い、輪郭抽出、階調補正、トリミング、ノイズ除去、図形描画、ビットマップ等の画像の貼り付け、回転、移動、消去、合成等の処理を行う。そして、このようにして編集された画像データを、ユーザ端末２０内の任意のフォルダに格納する。本実施形態では、この画像データが記録された記憶領域を画像データ記憶部３３と呼ぶこととする。
【００１７】
手順書データ記憶部３４は、作成された手順書データを記録する。本実施形態では、１ファイルの工程ファイルに対して、この工程ファイルの各レコードにそれぞれ対応する工程説明書を含む１ファイルの手順書データを作成し、ユーザ端末２０内の任意のフォルダに格納する。本実施形態では、この手順書データが記録された記憶領域を手順書データ記憶部３４と呼ぶこととする。
【００１８】
また、ユーザ端末２０は、ディスプレイ装置等の表示手段４１、キーボードやマウス等の入力手段４２や、図示しない通信手段等を備えている。
ユーザ端末２０は、プリンタ５０に接続されている。プリンタ５０は、一般的な画像形成装置のプリンタ機能を有し、画像処理全般の制御を行う画像処理制御手段や、印刷装置を備えている。画像処理制御手段は、ユーザ端末２０から受信した印刷データに基づいて、印刷装置に対して印刷データを含む印刷指示を出力し、印刷装置に用紙への画像形成を実行させる。
【００１９】
次に、上記のようなユーザ端末２０を用いて、製品の製造における複数の工程から成る作業の手順書を作成する場合の処理手順を図２及び図３を用いて説明する。
図２に示すように、ユーザ端末２０は、まず、ユーザの入力操作に従って、フォームを表示ディスプレイ画面上に表示させる（ステップＳ１−１）。具体的には、ユーザ端末２０は、ユーザによる入力操作に従って、任意のフォルダのフォームデータ記憶部３１からフォームデータを読み込み、このフォームデータに基づいてフォーム６０（図３参照）をディスプレイ画面上に表示させる。フォームは、上記のようにして予め編集されており、例えば、図３に示すように、フォーム６０上に、予め編集された設定表示６１が表示される。この設定表示６１には、例えば、ロゴや会社名等が表示される。
【００２０】
次に、ユーザ端末２０は、ユーザの入力操作に従って、工程データ領域及び画像領域の割り付けを行う（ステップＳ１−２）。具体的には、ユーザ端末２０は、まず、工程データ領域割付手段２２により、工程データ領域の指定要求をディスプレイ画面上に表示し、ユーザに工程データ領域の指定を促す。これに従ってユーザがディスプレイ画面上で工程データ領域の指定入力を行うと、ユーザ端末２０は、工程データ領域割付手段２２により、指定された領域を工程データ領域としてフォーム上に割り付ける。次いで、ユーザ端末２０は、画像領域割付手段２３により、画像領域の指定要求をディスプレイ画面上に表示し、ユーザに画像領域の指定を促す。これに従って、ユーザが、ディスプレイ画面上で画像領域の指定入力を行うと、ユーザ端末２０は、画像領域割付手段２３により、指定された領域を画像領域としてフォーム上に割り付ける。このようにして、例えば、図３に示すように、フォーム６０上に工程データ領域６５及び画像領域６６が割り付けられる。
【００２１】
次に、ユーザは、入力手段４２を用いて、工程ファイルの読み込み要求を行う。これに
より、ユーザ端末２０は、工程データ記憶部３２から、ＣＳＶ形式の工程ファイルを読み込む（ステップＳ１−３）。そして、ユーザ端末２０は、読み込んだ工程ファイルの工程データを、各工程に対応する工程説明書の工程データ領域に合成する（ステップＳ１−４）。具体的には、ユーザ端末２０は、手順書生成手段２４により、各ページについて上記のフォーム上に工程データ領域と画像データ領域とを割り付け、各ページの工程データ領域に工程ファイルのレコードを合成した手順書データを生成する。この手順書データは、工程ファイルのレコード毎に１ページずつの工程説明書を割り当てたもので、工程ファイルのレコード順で、各ページ（工程説明書）に、各レコードの工程データをそれぞれ合成する。これにより、各工程について当該工程のレコードのデータを合成した工程説明書が、工程ファイルのレコード順を識別可能に生成される。例えば、図３に示すように、工程ファイル７０の各レコードが、工程順を示すデータ７１と工程の説明文に関するデータ（工程データ）７２とを含む場合において、工程データ７２を工程データ領域６５に合成する場合を想定する。この場合、手順書８０の各工程に対応するページ（工程説明書８１）の工程データ領域６５に、それぞれ対応する工程の工程データ７２が合成される。
【００２２】
次に、ユーザ端末２０は、各工程の工程データに対応した画像の貼り付けを行う（ステップＳ１−５）。本実施形態では、ユーザ端末２０は、各工程について、ユーザの入力操作に従って、それぞれ画像データ記憶部３３から画像データを読み込んで画像を貼り付ける。具体的には、ユーザが、ディスプレイ画面に表示された各工程に対応するページ（工程説明書）を指定して、任意のフォルダに格納された画像データを指定して、画像の貼り付け要求を入力する。これに従って、ユーザ端末２０は、画像貼付手段２５により、画像データ記憶部３３から指定された画像データを読み込んで、指定されたページ（工程説明書）の画像領域に画像を貼り付ける。ユーザは、この処理を各工程の工程説明書について行う。これにより、各工程について、それぞれその工程の工程データに対応する画像が、それぞれ対応する工程説明書の画像領域に貼り付けられる。例えば、図３に示すように、画像データ記憶部３３に記録された画像データに基づいて、各工程に対応する工程説明書８１の画像領域６６に画像９０がそれぞれ貼り付けられる。なお、各ページ（工程説明書８１）の画像領域６６には、それぞれ複数の画像９０を貼り付けることができる。
【００２３】
次に、ユーザ端末２０は、ディスプレイ画面上でのユーザによる入力操作に従って、手順書の編集処理を行う（ステップＳ１−６）。具体的には、ユーザは、ディスプレイ画面上で、工程データ領域に合成された工程の説明文のフォント等の変更や文章の修正、画像領域に貼り付けた画像の位置や大きさの調整、レンズ処理、引き出し線やコメントの入力等を行う。なお、レンズ処理は、ここでは、画像の一部を切り出して拡大して表示させることをいう。例えば、図３に示すように、画像９０の一部をレンズ表示９５のように切り出して拡大して表示させる。なお、この場合、もとの画像９０は、工程説明書８１の画像領域６６上に残してもよいし、削除してもよい。また、各ページ（工程説明書）に割り付けた工程データ領域及び画像領域は、ページ毎にそれぞれ、範囲の変更、移動等が可能である。
【００２４】
ユーザ端末２０は、工程説明調整手段２６により、工程の説明文のフォント等の変更や文章の修正の入力手段、引き出し線やコメントの入力手段等をユーザに提供し、ユーザによる入力操作に従って、工程の説明文のフォント等の変更や文章の修正、引き出し線やコメントの追加等を行う。また、ユーザ端末２０は、画像調整手段２７により、画像領域に貼り付けた画像の位置や大きさの調整、レンズ処理等のための入力手段をユーザに提供し、ユーザによる入力操作に従って、画像領域に貼り付けた画像の位置や大きさの調整、レンズ処理等を行う。
【００２５】
これらの処理により、すべてのページ（工程説明書）について編集作業を終了すると、ユーザは、作成された手順書の手順書データの保存要求を入力手段４２により入力する。
これに従って、ユーザ端末２０は、この手順書データを手順書データ記憶部３４に記録する（ステップＳ１−７）。具体的には、任意のフォルダに手順書データを格納することにより、この手順書データを記録した記憶領域が手順書データ記憶部３４となる。なお、ユーザは、必要な場合には、仕掛り中の手順書データも同様に、任意のフォルダに保存する。また、ディスプレイ画面上に表示された手順書は、プリンタ５０にて印刷可能である。
【００２６】
手順書の作成を終了して、上記のように手順書データを手順書データ記憶部３４に記録した手順書作成者は、承認権限者に承認依頼をする。承認権限者は、例えば、承認権限者のコンピュータ端末を用いてネットワークを介してユーザ端末２０にアクセスし、手順書データ記憶部３４に記録された手順書データを読み出して、表示された手順書を確認し、この手順書の承認入力を行う。例えば、承認権限者は、手順書を承認する場合、承認マークの刷り込みのための入力操作を行う。これにより、手順書データに承認マークに関するデータが記録され、手順書に承認マークが刷り込まれる（ステップＳ１−８）。そして、この承認マークが刷り込まれた承認後の手順書データを手順書データ記憶部３４に記録する（ステップＳ１−９）。
【００２７】
そして、完成した手順書の出力を希望するユーザは、ユーザ端末２０により、手順書データ記憶部３４に記録した手順書データを読み出して、プリンタ５０での印刷要求を行う。これにより、ユーザ端末２０は、手順書データ記憶部３４から手順書データを読み出して、この手順書データをプリンタドライバにより印刷データに変換し、この印刷データをプリンタ５０に送信して印刷要求を行う（ステップＳ１−１０）。これにより、プリンタ５０は、手順書を印刷する。本実施形態では、上述のように、手順書データは、各工程についての工程説明書を１ページずつ有するファイルである。つまり、工程ファイルに対応して１ファイルで構成される手順書データが作成され、この手順書データによる手順書は、工程説明書が工程ファイルのレコード順で並べられている。従って、手順書データ（ファイル）の印刷要求を行うと、工程ファイルのレコード順に対応する工程順に、工程説明書が並べられて出力される。
【００２８】
以上、本実施形態によれば、以下に示す効果を得ることができる。
・  上記実施形態では、ユーザ端末２０は、文書の作成フォームを表示するフォームデータに基づいてフォームを表示させる。そして、ユーザ端末２０は、ユーザに対して、このフォーム上への工程データ領域の指定を促し、ユーザにより指定された工程データ領域をフォーム上に割り付ける。そして、複数の工程から成る作業の各工程情報を１レコードとして構成された工程ファイルを読み込んで、工程毎にフォーム上の工程データ領域に当該工程に関するレコードのデータを合成した工程説明書を生成し、レコード順を識別可能にした工程説明書を含む手順書を作成する。これにより、複数の工程から成る作業の手順書を効率よく作成できるとともに、同一の作業中の各工程に関する工程説明書を工程順にまとめて管理できる。
【００２９】
・  上記実施形態では、ユーザ端末２０は、ユーザに対して、フォーム上への画像領域の指定を促し、ユーザにより指定された画像領域をフォーム上に割り付ける。このユーザ端末２０が生成する工程説明書は、この割り付けた画像領域を有する。そして、ユーザの入力操作に従って、ユーザ端末２０は、工程説明書の画像領域に画像データ記憶部３３から読み出した画像データに基づく画像を貼り付ける。これにより、画像を含む手順書を効率よく作成できる。
【００３０】
・  上記実施形態では、工程ファイル中のレコード順に各工程の工程説明書が並べられた、１ファイルにより構成される手順書データを生成する。これにより、作業を構成する複数の工程の工程説明書を工程順に並べて１ファイルで管理できる。従って、製品の製造が複数の工程により行われる場合に、その製品の製造に関わる各工程の工程説明書を、ま
とめて工程順に管理できる。また、印刷する場合には、１ファイルの手順書データ（ファイル）を指定して印刷要求を行うことで、製品の製造に関わる各工程の工程説明書を工程順に並べて出力できる。
【００３１】
なお、上記実施形態は、以下の態様に変更してもよい。
○  上記実施形態では、工程ファイルのレコード順に各工程の工程説明書が並べられた１ファイルにより構成される手順書データを生成したが、各工程に対応する工程説明書毎にファイルを生成してもよい。この場合、各工程に対応する工程説明書について、同一の工程ファイルに基づいて生成された工程説明書であることと、工程ファイル中のレコード順とを識別できるようにする。例えば、工程説明書のファイル名として、工程ファイルのファイル名に工程ファイル中のレコード順を付したものを付与する。これにより、工程説明書をそれぞれ出力する場合等、工程説明書毎の管理が容易になる。また、この場合も、工程ファイル中のレコード順を識別できるため、工程順に、工程説明書を管理できる。
【００３２】
○  上記実施形態では、ユーザ端末２０に、フォームデータ記憶部３１、工程データ記憶部３２、画像データ記憶部３３、手順書データ記憶部３４を設けた。これに代えて、これらの記憶部３１，３２，３３，３４を別の装置に設けてもよい。例えば、ユーザ端末２０に接続されたサーバに、フォームデータ、工程データ、画像データ、手続書データをそれぞれ記録してもよい。これにより、複数のユーザにより手順書の作成を行う場合に、手順書の作成を効率的に行うことができる。
【００３３】
○  上記実施形態では、フォーム上に１つの工程データ領域を割り付けた場合を想定して説明したが、フォーム上に複数の工程データ領域を割り付けてもよい。この場合、工程ファイルの各レコードに、フォーム上に割り付けたそれぞれの工程データ領域に対応するデータを、工程データ領域毎にそれぞれ設定し、これらのデータを対応する工程データ領域にそれぞれ合成する。例えば、工程ファイルとしてＣＳＶ形式のファイルを用いる場合、工程ファイルの改行により区切られる各レコードを各工程に対応させ、各レコード中、カンマで区切られた各データを、それぞれ工程データ領域に対応させる。一方、フォーム上に割り付けた工程データ領域には、それぞれ、工程ファイル中のレコードのどのデータを合成するかを指定しておく。そして、ＣＳＶ形式の工程ファイルの各レコード中、カンマで区切られた各データを、各工程説明書中の、各工程データ領域にそれぞれ合成する。これにより、各工程について、工程説明書の複数の領域に、工程ファイルを用いて文字等を合成できる。従って、各工程についての説明が複雑な場合にも、各工程についての説明を、より見やすく表示する手順書を、工程ファイルを用いて効率的に作成できる。
【００３４】
○  上記実施形態では、手順書の画像領域への画像の貼り付けは、ユーザが、工程説明書を選択して、この工程説明書に貼り付ける画像データを指定することにより行った。これに代えて、工程ファイルにおいて画像データを指定してもよい。また、工程ファイルとは別のファイルを用いて、このファイルにおいて画像データを指定してもよい。具体的には、工程ファイルにおいて画像データを指定する場合、例えば、ＣＳＶ形式の工程ファイルの各レコードの、カンマで区切られた所定の部分に、貼り付ける画像データを識別するための画像データの存在場所及びファイル名を記録する。そして、この工程ファイルを読み込んで、工程データを工程データ領域に合成する際に、その工程に対応する画像についても、工程ファイルの対応するレコードに記録された画像データの指定に基づいて、画像データを読み出して画像を画像領域に貼り付ける。また、工程ファイルとは別のファイルを用いる場合には、このファイルに、工程ファイルにおけるレコード順と関連付けて画像データの存在場所及びファイル名を記録しておく。そして、工程ファイルを読み込んで工程データを工程データ領域に合成する際、又は、手順書データを生成した後に、この画像を指定したファイルを読み込んで、各工程の工程説明書の画像領域に画像を貼り付ける。これにより、貼り付ける画像が予め把握されている場合には、画像を自動的に貼り付ける
ことができる。従って、ユーザは、貼り付ける画像を指定する作業を行わずに、貼り付けられた画像の位置の調整等を行えばよいため、より効率的に手順書を作成できる。
【００３５】
○  上記実施形態では、工程ファイルをＣＳＶ形式のファイルとしたが、工程ファイルの形式は、これに限られるものではない。工程ファイルは、製品の製造における各工程に対応するレコードが工程順に並べられており、１工程につき１レコードが割り当てられていれば、他の形式であってもよい。そして、フォーム上に複数の工程データ領域を割り付ける場合は、工程ファイルは、各工程に対応するレコードについて、各工程の工程説明書における複数の工程データ領域に貼付ける工程データをそれぞれ特定可能であればよい。
【００３６】
○  上記実施形態では、工程ファイルの各レコードが工程順を示すデータ７１を有する場合を想定したが、この工程順を示すデータ７１は有していなくてもよい。
○  上記実施形態では、製品の製造に関する手順書を作成する場合を想定して説明したが、本発明はこれに限られるものではなく、複数の工程から成る作業の手順書を作成する場合であれば、手順書の対象はどのようなものであってもよい。
【図面の簡単な説明】
【００３７】
【図１】本発明の一実施形態のシステムの概略図。
【図２】本発明の一実施形態の処理手順の説明図。
【図３】本発明の一実施形態を説明する説明図。
【符号の説明】
【００３８】
２０…コンピュータとしてのユーザ端末、２２…工程データ領域割付手段、２３…画像領域割付手段、２４…手順書生成手段、２５…画像貼付手段、３３…画像データ記憶手段としての画像データ記憶部、５０…プリンタ、６０…フォーム、６５…工程データ領域、６６…画像領域、７０…工程ファイル、８０…手順書、８１…工程説明書、９０…画像。
【図１】
2006065807.tif 000003
【図２】
2006065807.tif 000004
【図３】
2006065807.tif 000005